(57)【要約】【課題】利用者が体温等の測定等を継続し易くするための測定促進装置等を提供すること。【解決手段】開始位置区切り情報から終了位置区切り情報までの複数の区切り情報を結ぶ経路情報を有する双六情報を記憶する双六情報記憶部６２と、利用者の経路情報における特定された直近の区切り位置情報である直近特定区切り位置情報を記憶する直近特定区切り位置情報記憶部と６１、利用者の少なくとも検温情報を含む検温関連情報を記憶する検温関連情報記憶部６１と、検温関連情報の入力の有無を判断する検温関連情報入力有無判断処理部３３と、直近特定区切り位置情報を前記経路情報に沿って、変更させる区切り位置変更情報を生成するための区切り位置変更情報生成処理部３５と、を有し、検温関連情報入力有無判断処理部が検温関連情報の入力があったと判断したときに、区切り位置変更情報生成部は、処理を開始する構成となっている測定促進装置２０。【選択図】図１１
2012161470.tif 000002
【特許請求の範囲】
【請求項１】
少なくとも、開始位置区切り情報から終了位置区切り情報までの複数の区切り情報を結ぶ経路情報を有する双六情報を記憶する双六情報記憶部と、
利用者の前記経路情報における特定された直近の前記区切り位置情報である直近特定区切り位置情報を記憶する直近特定区切り位置情報記憶部と、
利用者の少なくとも検温情報を含む検温関連情報を記憶する検温関連情報記憶部と、
前記検温関連情報の入力の有無を判断する検温関連情報入力有無判断処理部と、
前記直近特定区切り位置情報を前記経路情報に沿って、変更させる区切り位置変更情報を生成するための区切り位置変更情報生成処理部と、を有し、
前記検温関連情報入力有無判断処理部が前記検温関連情報の入力があったと判断したときに、前記区切り位置変更情報生成部は、処理を開始する構成となっていることを特徴とする測定促進装置。
【請求項２】
前記区切り位置変更情報に基づいて、前記直近特定区切り情報を更新し、新たな前記直近特定区切り情報とする直近特定区切り情報更新処理部と、
前記区切り位置情報における利用者側に表示すべき表示イベント情報を記憶する表示イベント情報記憶部と、を備え、
前記直近特定区切り情報更新処理部により更新された前記直近特定区切り情報と、前記表示イベント情報記憶部に基づいて、前記表示イベント情報を利用者側に表示することを特徴とする請求項１に記載の測定促進装置。
【請求項３】
前記検温情報が、体温情報であり、前記検温関連情報が、うがい及び／又は手洗いの有無であることを特徴とする請求項１又は請求項２に記載の測定促進装置。
【請求項４】
前記検温関連情報の入力ポイント情報を記憶する入力ポイント情報記憶部を有し、
前記検温関連情報入力有無判断処理部が前記検温関連情報の入力があったと判断したときに、前記入力ポイント情報に基づき、利用者の取得ポイント情報に前記入力ポイント情報を加算処理するポイント情報処理部を、有すると共に、
前記終了位置区切り情報に到達した情報であるあがりポイント情報を記憶するあがりポイント情報記憶部と、
利用者の前記直近特定区切り情報が、前記終了位置区切り情報に到達しあがり状態となったか否かの判断を行う双六あがり判断処理部と、を有し、
前記双六あがり判断処理部が前記あがり状態となったと判断したときに、前記あがりポイント情報に基づき、利用者の前記取得ポイント情報に前記あがりポイント情報を加算処理するあがりポイント情報処理部を有することを特徴とする請求項１乃至請求項３のいずれか１項に記載の測定促進装置。
【請求項５】
利用者が操作する利用者端末と、この利用者端末と通信可能に接続されている前記測定促進装置を有し、
請求項１乃至請求項４のいずれか１項に記載の前記測定促進装置を備えることを特徴とする測定促進システム。
【請求項６】
少なくとも、開始位置区切り情報から終了位置区切り情報までの複数の区切り情報を結ぶ経路情報を有する双六情報を記憶する双六情報記憶部と、
利用者の前記経路情報における特定された直近の前記区切り位置情報である直近特定区切り位置情報を記憶する直近特定区切り位置情報記憶部と、
利用者の少なくとも検温情報を含む検温関連情報を記憶する検温関連情報記憶部と、を用いて、
前記検温関連情報の入力の有無を判断する検温関連情報入力有無判断処理部が、前記検温関連情報の入力があったと判断したときに、前記直近特定区切り位置情報を前記経路情報に沿って、変更させる区切り位置変更情報を生成するための前記区切り位置変更情報生成部が、処理を開始することを特徴とする測定促進方法。
【請求項７】
少なくとも、開始位置区切り情報から終了位置区切り情報までの複数の区切り情報を結ぶ経路情報を有する双六情報を記憶する双六情報記憶部と、
利用者の前記経路情報における特定された直近の前記区切り位置情報である直近特定区切り位置情報を記憶する直近特定区切り位置情報記憶部と、
利用者の少なくとも検温情報を含む検温関連情報を記憶する検温関連情報記憶部と、を用いて、
前記検温関連情報の入力の有無を判断する検温関連情報入力有無判断処理部が、前記検温関連情報の入力があったと判断したときに、前記直近特定区切り位置情報を前記経路情報に沿って、変更させる区切り位置変更情報を生成するための前記区切り位置変更情報生成部が、処理を開始することを特徴とする測定促進プログラム。
【発明の詳細な説明】
【技術分野】
【０００１】
本発明は、例えば、利用者の体温等の継続的な測定等を促すための測定促進装置、測定促進システム、測定促進方法及び測定促進プログラムに関するものである。
【背景技術】
【０００２】
従来より、人の健康管理のためには継続的に体温等を測定等することが重要であり、かかるデータに基づいて、当該対象者の健康管理を行っている（例えば、特許文献１）。
【先行技術文献】
【特許文献】
【０００３】
【特許文献１】特開２００５―２７８７９０公報
【発明の概要】
【発明が解決しようとする課題】
【０００４】
しかし、かかる体温等の測定等は、それ自体は容易に行うことができるが、継続的に例えば、毎日検温等を行うことは困難であるため、実際は、当該対象者の健康管理に必要な検温データ等を取得するのが困難であるという問題があった。
【０００５】
そこで、本発明は、利用者が体温等の測定等を継続し易くするための測定促進装置、測定促進システム、測定促進方法及び測定促進プログラムを提供することを目的とする。
【課題を解決するための手段】
【０００６】
上記目的は、本発明にあっては、少なくとも、開始位置区切り情報から終了位置区切り情報までの複数の区切り情報を結ぶ経路情報を有する双六情報を記憶する双六情報記憶部と、利用者の前記経路情報における特定された直近の前記区切り位置情報である直近特定区切り位置情報を記憶する直近特定区切り位置情報記憶部と、利用者の少なくとも検温情報を含む検温関連情報を記憶する検温関連情報記憶部と、前記検温関連情報の入力の有無を判断する検温関連情報入力有無判断処理部と、前記直近特定区切り位置情報を前記経路情報に沿って、変更させる区切り位置変更情報を生成するための区切り位置変更情報生成処理部と、を有し、前記検温関連情報入力有無判断処理部が前記検温関連情報の入力があったと判断したときに、前記区切り位置変更情報生成部は、処理を開始する構成となっていることを特徴とする測定促進装置により達成される。
【０００７】
前記構成によれば、検温関連情報入力有無判断処理部が検温関連情報の入力があったと判断したときに、区切り位置変更情報生成部は、処理を開始する構成となっている。
このため、利用者は、例えば、体温等を検温し、入力した場合に限り、双六を開始乃至継続させることができるので、利用者の検温と双六の進行が関連付けられている。したがって、利用者に継続的な検温等を促すことができる。
【０００８】
好ましくは、前記区切り位置変更情報に基づいて、前記直近特定区切り情報を更新し、新たな前記直近特定区切り情報とする直近特定区切り情報更新処理部と、前記区切り位置情報における利用者側に表示すべき表示イベント情報を記憶する表示イベント情報記憶部と、を備え、前記直近特定区切り情報更新処理部により更新された前記直近特定区切り情報と、前記表示イベント情報記憶部に基づいて、前記表示イベント情報を利用者側に表示することを特徴とする測定促進装置である。
【０００９】
前記構成によれば、直近特定区切り情報更新処理部により更新された直近特定区切り情報と、表示イベント情報記憶部に基づいて、表示イベント情報を利用者側に表示する構成となっている。このため、利用者は、検温結果等を入力することで、各種の情報を端末から知得することができるので、利用者に継続的な検温等を促すことができる。
【００１０】
好ましくは、前記検温情報が、体温情報であり、前記検温関連情報が、うがい及び／又は手洗いの有無であることを特徴とする測定促進装置である。
【００１１】
好ましくは、前記検温関連情報の入力ポイント情報を記憶する入力ポイント情報記憶部を有し、前記検温関連情報入力有無判断処理部が前記検温関連情報の入力があったと判断したときに、前記入力ポイント情報に基づき、利用者の取得ポイント情報に前記入力ポイント情報を加算処理するポイント情報処理部を、有すると共に、前記終了位置区切り情報に到達した情報であるあがりポイント情報を記憶するあがりポイント情報記憶部と、利用者の前記直近特定区切り情報が、前記終了位置区切り情報に到達しあがり状態となったか否かの判断を行う双六あがり判断処理部と、を有し、前記双六あがり判断処理部が前記あがり状態となったと判断したときに、前記あがりポイント情報に基づき、利用者の前記取得ポイント情報に前記あがりポイント情報を加算処理するあがりポイント情報処理部を有することを特徴とする測定促進装置である。
【００１２】
前記構成によれば、前記検温関連情報入力有無判断処理部が前記検温関連情報の入力があったと判断したときに、前記入力ポイント情報に基づき、利用者の取得ポイント情報に前記入力ポイント情報を加算処理するポイント情報処理部により、利用者に入力ポイントが付与されるので、利用者に継続的な検温の入力を促すことができる。
また、前記構成によれば、双六あがり判断処理部があがり状態となったと判断したときに、あがりポイント情報に基づき、利用者の前記取得ポイント情報にあがりポイント情報を加算処理するあがりポイント情報処理部により、利用者にポイントが付与されるので、利用者にあがりを目指した継続的な検温等をより促すことができる。
【００１３】
好ましくは、利用者が操作する利用者端末と、この利用者端末と通信可能に接続されている前記測定促進装置を有し、前記測定促進装置を備えることを特徴とする測定促進システムである。
【００１４】
前記目的は、本発明にあっては、少なくとも、開始位置区切り情報から終了位置区切り情報までの複数の区切り情報を結ぶ経路情報を有する双六情報を記憶する双六情報記憶部と、利用者の前記経路情報における特定された直近の前記区切り位置情報である直近特定区切り位置情報を記憶する直近特定区切り位置情報記憶部と、利用者の少なくとも検温情報を含む検温関連情報を記憶する検温関連情報記憶部と、を用いて、前記検温関連情報の入力の有無を判断する検温関連情報入力有無判断処理部が前記検温関連情報の入力があったと判断したときに、前記直近特定区切り位置情報を前記経路情報に沿って、変更させる区切り位置変更情報を生成するための区切り位置変更情報生成部が、処理を開始することを特徴とする測定促進方法により達成される。
【００１５】
前記目的は、本発明にあっては、少なくとも、開始位置区切り情報から終了位置区切り情報までの複数の区切り情報を結ぶ経路情報を有する双六情報を記憶する双六情報記憶部と、利用者の前記経路情報における特定された直近の前記区切り位置情報である直近特定区切り位置情報を記憶する直近特定区切り位置情報記憶部と、利用者の少なくとも検温情報を含む検温関連情報を記憶する検温関連情報記憶部と、を用いて、前記検温関連情報の入力の有無を判断する検温関連情報入力有無判断処理部が前記検温関連情報の入力があったと判断したときに、前記直近特定区切り位置情報を前記経路情報に沿って、変更させる区切り位置変更情報を生成するための区切り位置変更情報生成部が、処理を開始することを特徴とする測定促進プログラムにより達成される。
【発明の効果】
【００１６】
以上説明したように、本発明によれば、利用者が体温等の測定等を継続し易くするための測定促進装置、測定促進システム及び測定促進方法を提供することができる。
【図面の簡単な説明】
【００１７】
【図１】本発明の測定促進システムの実施の形態に係る検温世界旅行双六システムを示す概略図である。
【図２】（ａ）（ｂ）は、利用者端末及び双六情報管理サーバの主なハードウエア構成等を示す概略図である。
【図３】図１の利用者端末の主な構成を示す概略ブロック図である。
【図４】図１の双六情報管理サーバの主な構成を示す概略ブロック図である。
【図５】第１記憶部の内容である処理部（プログラム）等を示す概略図である。
【図６】第２記憶部の内容である各記憶部を示す概略図である。
【図７】検温世界旅行双六システムの主な動作等を示す概略フローチャートである。
【図８】検温世界旅行双六システムの主な動作等を示す他の概略フローチャートである。
【図９】検温世界旅行双六システムの主な動作等を示す他の概略フローチャートである。
【図１０】図６の個人データ記憶部の内容を示す概略説明図である。
【図１１】端末側ディスプレイに表示される検温世界旅行双六ゲームの画面例を示す概略説明図である。
【図１２】マス目特有の地域的情報の表示例を示す概略説明図である。
【発明を実施するための形態】
【００１８】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１９】
図１は、本発明の測定促進システムの実施の形態に係る検温世界旅行双六システム１を示す概略図である。
図１に示すように、検温世界旅行双六システム１は、検温世界旅行双六システム１に関するデータ等が記憶されている測定促進装置である例えば、双六情報管理サーバ１０を有すると共に、この検温世界旅行双六システム１を利用する利用者のコンピュータ等である利用者端末１００ａ乃至１００ｃ等を有している。
これら利用者端末１００ａ等は、図１に示すようにインターネット網２を介して双六情報管理サーバ１０と通信可能に接続されている。
【００２０】
この検温世界旅行双六システム１は、利用者が体温の測定データ等を利用者端末１００ａ等を介して双六情報管理サーバ１０に送信することで、「検温世界旅行双六ゲーム」に参加することができるシステムである。
この「検温世界旅行双六ゲーム」では、利用者の体温の測定データ等の入力を契機として、ゲームが進行し、様々なイベントが発生する構成となっている。このため、利用者は、このゲームに参加することで、利用者による体温の測定データ等の入力が促され、ひいては、利用者の継続的な体温の測定等を促すことができることになる。
また、このように、継続的に測定等された体温等のデータは、双六情報管理サーバ１０に蓄積され、医師等による当該利用者の健康状態の正確な把握が可能となる構成ともなっている。以下、本システム１を詳細に説明する。
【００２１】
図２（ａ）（ｂ）は、利用者端末１００ａ乃至１００ｃ及び双六情報管理サーバ１０の主なハードウエア構成等を示す概略図である。
図２に示すように、利用者端末１００ａ乃至１００ｃ及び双六情報管理サーバ１０は、コンピュータ等を有している。
利用者端末１００ａ等にコンピュータは、端末側ＣＰＵ（Ｃｅｎｔｒａｌ  Ｐｒｏｃｅｓｓｉｎｇ  Ｕｎｉｔ）１０１、端末側ＲＡＭ（Ｒａｎｄｏｍ  Ａｃｃｅｓｓ  Ｍｅｍｏｒｙ）１０２、端末側ＲＯＭ（Ｒｅａｄ  Ｏｎｌｙ  Ｍｅｍｏｒｙ）１０３、端末側計時装置１０５、端末側ディスプレイ１０６、端末側通信装置１０７及び端末側入力装置１０８を有し、これらは、端末側バス１０４を介して接続されている。
【００２２】
また、双六情報管理サーバ１０も同様に、サーバ側ＣＰＵ１１、サーバ側ＲＡＭ１２、サーバ側ＲＯＭ１３、サーバ側計時装置１５、サーバ側ディスプレイ１６、サーバ側通信装置１７及びサーバ側入力装置１８を有し、サーバ側バス１４を介して接続されている。
なお、端末側バス１０４及びサーバ側バス１４は、すべてのデバイスを接続する機能を有し、アドレスバスやデータバスを有する内部バスである。端末側ＣＰＵ１０１等は所定のプログラムの処理を行う他、端末側バス１０４等に接続された端末側ＲＯＭ１０３等を制御している。端末側ＲＯＭ１０３等は、各種プログラムや各種情報等を格納している。端末側ＲＡＭ１０２は、プログラム処理中のメモリの内容を対比し、処理・判断し、プログラムを実行するためのエリアとしての機能を有する。
【００２３】
図３は、図１の利用者端末１００ａ等の主な構成を示す概略ブロック図である。図３に示すように、利用者端末１００ａ等は、端末側制御部１１０を有している。そして、利用者側に各種情報を表示するための端末側ディスプレイ１０６や、双六情報管理サーバ１０と通信するための端末側通信装置１０７、そして、利用者が生体情報である体温等の各種データ等を入力するための端末側入力装置１０８及び端末側計時装置１０５等が、この端末側制御部１１０で制御される構成となっている。
また、利用者端末１００ａ等は、図３に示すように、個人ＩＤデータ記憶部１１１を有するが、これについては後述する。
【００２４】
図４は、図１の双六情報管理サーバ１０の主な構成を示す概略ブロック図である。図４に示すように、双六情報管理サーバ１０は、サーバ側制御部２０を有している。そして、サーバ側ディスプレイ１６、サーバ側通信装置１７、サーバ側入力装置１８及びサーバ側計時装置１５等が、このサーバ側制御部２０で制御される構成となっている。
また、図４に示すように、双六情報管理サーバ１０は、第１記憶部３０及び第２記憶部６０を有している。そして、図５には、第１記憶部３０の内容である処理部（プログラム）等が示され、図６には、第２記憶部６０の内容である記憶部が示されているが、これらについては、後述する。
【００２５】
図７乃至図９は、検温世界旅行双六システム１の主な動作等を示す概略フローチャートである。以下、図７等のフローチャートに沿って、検温世界旅行双六システム１の動作等を説明すると共に、図１乃至図６等の構成等も併せて説明する。
【００２６】
図７は、検温世界旅行双六システム１の事前登録工程を示す概略フローチャートである。本実施の形態に係る検温世界旅行双六システム１に参加しようとする利用者は、図１の自己の利用者端末１００ａ等からインターネット網２を介して、双六情報管理サーバ１０にアクセスし、事前登録手続を行う。
具体的には、先ず、図７のＳＴ１に示すように、利用者端末１００ａ等から双六情報管理サーバ１０にアクセスし、当該利用者の個人情報（例えば、個人認証番号）を登録する。このとき、登録された個人認証番号は、図３の個人ＩＤデータ記憶部１１１にも記憶される。これで、事前登録手続が終了する。
【００２７】
次いで、利用者は、検温世界旅行双六システム１の検温世界旅行双六ゲームに参加する。図８は、検温世界旅行双六ゲームの工程を示す概略フローチャートである。
先ず、利用者は、図８のＳＴ１１に示すように、図１に示す自己の利用者端末１００ａ等から双六情報管理サーバ１０へ検温世界旅行双六ゲーム開始の信号を送信する。この信号を送信する際には、上記事前登録工程で利用者端末１００ａ等の個人ＩＤデータ記憶部１１１に記憶した個人認証番号も共に送信される。
【００２８】
次いで、ＳＴ１２へ進む。ＳＴ１２では、ＳＴ１１の信号等を受信した双六情報管理サーバ１０の図５の個人データ双六処理部（プログラム）３１が動作し、受信した個人認証番号に基づいて、図６の個人データ記憶部６１を参照する。
図１０は、図６の個人データ記憶部６１の内容を示す概略説明図である。
図１０に示すように、個人データ記憶部６１では、利用者の個人認証番号と直近のマス目番号とが関連付けて登録されている。
ここでマス目番号について説明するために、検温世界旅行双六ゲームの概要について説明する。
【００２９】
本実施の形態の双六情報である例えば、検温世界旅行双六ゲームの全行程のマップ（地図）データ等は、双六情報記憶部である例えば、図６の双六全行程マップデータ記憶部６２に記憶されている。
具体的には、「東京の東京駅」を「振り出し」（「開始位置区切り情報」の一例）に、世界各国の主な地点を通過して、「あがり」（「終了位置区切り情報」の一例）である「東京の幡ヶ谷」に到達する双六ゲームとなっている。そして、これら世界各国の通過点に沿って複数の区切り情報である例えば、マス目が設定されている。また、このマス目は世界の主な地名と対応されている。
そして、利用者は、後述するサイコロの目の数に従い、「振り出し」から「あがり」目指してマス目を進む構成となっている。
また、これら複数のマス目には、それぞれマス目を特定するためのマス目番号がふされている。
このように、検温世界旅行双六ゲームの「マス目番号」、特に、図１０の利用者の直近のマス目番号（直近特定区切り情報位置情報の一例）は、検温世界旅行双六ゲームにおける当該利用者の直近の位置を特定し得るデータとなっている。
【００３０】
ここで、説明をＳＴ１２に戻すと、上述のように、図５の個人データ双六処理部（プログラム）３１が受信した個人認証番号に基づいて、図６の個人データ記憶部６１を参照すると、図１０の直近のマス目番号を把握することができる。
そこで、個人データ双六処理部３１は、図６の双六全行程マップデータ記憶部６２の検温世界旅行双六ゲームの世界地図上の図１０の直近のマス目番号に対応するマス目を特定して、検温世界旅行双六ゲームの世界地図を利用者端末１００ａ等の端末側ディスプレイ１０６に表示する。
したがって、図６の個人データ記憶部６１は、直近特定区切り位置情報記憶部の一例となっている。
なお、図１０に直近のマス目番号が登録されていない場合は、上述の「振り出し」のマス目番号を直近のマス目番号として処理する。
【００３１】
図１１は、端末側ディスプレイに表示される検温世界旅行双六ゲームの画面例を示す概略説明図である。
図１１に示すように、当該利用者は、例えば、矢印Ａで示すように、直近のマス目が「日本の東京駅（振り出し地点）」であり、この地点であることが端末側ディスプレイ１０６に表示される。
また、同時に、図５のデータ入力画面処理部（プログラム）３２が動作し、図１１に示すデータ入力欄７０が、端末側ディスプレイ１０６に表示される。
【００３２】
このデータ入力欄７０は、図１１に示すように、当該日付と関連付けられていると共に、利用者が体温を検温したか否か、その温度は何度か、そして、「うがい・手洗い」をしたか否かを入力することができる構成となっている。
【００３３】
ＳＴ１２で、データ入力欄７０が、端末側ディスプレイ１０６に表示されると、利用者は、図３の端末側入力装置１０８を操作し、データ入力欄７０の指示に従い、自己の体温を検温した場合、検温関連情報である例えば、検温の有無や検温した体温の具体的な温度データを入力すると共に、「うがい・手洗い」の有無も入力する。
【００３４】
次いで、ＳＴ１３へ進む。ＳＴ１３では、検温関連情報入力有無判断処理部である例えば、図５のデータ入力判断処理部（プログラム）３３が動作して、利用者による上述のデータ入力が完了したか否かが判断される。
具体的には、利用者が端末側入力装置１０８で、図１１のデータ入力欄７０の「ＯＫ」ボタンをクリックしたか否か等が判断される。
【００３５】
ＳＴ１３で、利用者による上述のデータ入力が完了していないと判断された場合、双六情報管理サーバ１０は、図４のサーバ側計時装置１５を用いて、図１１のデータ入力欄７０の表示時間を計測すると共に、その時間が所定時間を超えるか否かを判断し、超えた場合は、利用者が検温世界旅行双六ゲームを遂行する意思がないものとみなして、本実施の形態にかかる工程を終了する。
【００３６】
一方、ＳＴ１３で、利用者による上述のデータ入力が完了したと判断された場合は、ＳＴ１５へ進む。
ＳＴ１５では、図５のデータ入力判断処理部（プログラム）３３が動作し、図１１のデータ入力欄７０に入力された利用者の体温等のデータを図６の個人データ記憶部６１に記憶させる。
具体的には、図１０に示すように、当該利用者の個人認証番号と関連付けて、検温された検温温度、「うがい・手洗い」の有無のデータが登録（記憶）される。
【００３７】
次いで、ＳＴ１６へ進む。ＳＴ１６では、ポイント情報処理部である例えば、図５の検温等ポイント処理部（プログラム）３４が動作し、入力ポイント情報記憶部である例えば、図６のイベントデータ記憶部６３内の検温のポイント数及び「うがい・手洗い」のポイント数（入力ポイント情報の一例）を参照し、検温関連情報記憶部である例えば、図６の個人データ記憶部６１の図１０に示す「ポイント合計」（利用者の取得ポイント情報の一例）に登録済みのポイントに当該ポイントを加算処理する。
【００３８】
具体的には、図６のイベントデータ記憶部６３内の検温ポイント数は、４０ポイントであり、「うがい・手洗い」のポイント数が１０ポイントであるため、図１１のデータ入力欄７０へ検温及び／「うがい・手洗い」の実行の入力があった場合、上記ポイント数の合計を当該利用者の個人認証番号に対応する図１０の「ポイント合計」欄に加算処理する。
これにより、当該利用者の累積ポイント数を正確に把握することができる。
【００３９】
次いで、ＳＴ１７へ進む。ＳＴ１７では、区切り位置変更情報生成処理部である例えば、図５のサイの目処理部（プログラム）３５が動作し、サイコロの目である１乃至６のいずれかの値を特定する。すなわち、１乃至６の数字のうちの一つの数を乱数プログラムで特定する。
そして、直近特定区切り情報更新処理部である例えば、図５のマス目変更処理部（プログラム）３６が動作し、上記サイの目処理部（プログラム）３５で特定されたサイの目の数字（例えば、２）に基づき、図１０の「直近のマス目番号」を変更する。
例えば、マス目番号に「２」を足した新たな直近のマス目番号を「直近のマス目番号」の欄に登録し、「直近のマス目番号」を更新する。
このマス目番号は、上述のように、図１１の世界地図上の通過点である各地点を示すため、上述のようにマス目番号が「２」進むと、２地点分、世界地図上の地点を進むことになる。
【００４０】
次に、ＳＴ１８へ進む。ＳＴ１８では、図５のマス目イベント処理部（プログラム）３７が動作し、ＳＴ１７で更新された図１０の「直近のマス目番号」データと、図６のイベントデータ記憶部６３の「マス目の前進又は後進のイベント情報」を参照する。
この「マス目の前進又は後進のイベント情報」は、特定の「マス目番号」で、さらにマス目を，例えば、２つ前進させ又は２つ後進させる等の情報である。
したがって、マス目イベント処理部（プログラム）３７は、図１０の「直近のマス目番号」が、「マス目の前進又は後進のイベント情報」の特定の「マス目番号」に該当するか否かを判断し、該当している場合は，当該「マス目の前進又は後進のイベント情報」が特定するマス目、例えば、２を「直近のマス目番号」に加算し、図１０の「直近のマス目番号」を更新する。
【００４１】
次いで、ＳＴ１９へ進む。ＳＴ１９では、双六あがり判断処理部である例えば、図５のあがり判断処理部（プログラム）３８が動作して、図１０の「直近のマス目番号」と図６の双六全行程マップデータ記憶部６２を参照し、当該「直近のマス目番号」が「あがり」である「東京の幡ヶ谷」であるか否かを判断する。
【００４２】
ＳＴ１９で、当該「直近のマス目番号」が「あがり」でなかった場合は、ＳＴ２０へ進む。ＳＴ２０では、図５の地域情報イベント処理部（プログラム）３９が動作し、図１０の「直近のマス目番号」と、表示イベント情報記憶部である例えば、図６のイベントデータ記憶部６３内の「マス目特有の地域的情報」を参照する。
すなわち、「マス目特有の地域的情報」には、表示イベント情報である例えば、世界遺産、世界の料理、世界の菓子、世界のお祭り等の情報と、これらの情報に対応する「マス目番号」が記憶されている。
具体的には、例えば、韓国のソウルに相当する「マス目番号」には、ソウルの代表的な料理及びソウルの世界遺産等のデータが関連付けられて記憶されている。
【００４３】
したがって、地域情報イベント処理部（プログラム）３９は、当該「直近のマス目番号」に対応する「マス目特有の地域的情報」が存在するか否かを判断し、存在した場合は、当該「マス目番号」に対応する世界遺産等の地域的情報を端末側ディスプレイ１０６に表示する。
図１２は、マス目特有の地域的情報の表示例を示す概略説明図である。
図１２に示すように、図１０の「直近のマス目番号」がソウルで、ソウルに対応する代表的料理及び世界遺産がある場合は、かかるデータが端末側ディスプレイ１０６に表示される。
【００４４】
このように、利用者が、本実施の形態にかかる検温世界旅行双六ゲームに参加すると、検温等を継続的に行い、そのデータを入力することで、あたかも世界旅行をし、各地で観光をしているかのような体験をすることができる。
したがって、従来のように単に、検温等を促すだけではないので、利用者の継続的な検温をより円滑に促すことができる。
【００４５】
一方、ＳＴ１９で、当該「直近のマス目番号」が「あがり」に該当した場合は、ＳＴ２１へ進む。ＳＴ２１では、あがりポイント情報処理部である例えば、図５のあがり処理部（プログラム）４０が動作し、あがりポイント情報記憶部である例えば、図５のイベントデータ記憶部６３内の「あがりポイント」のデータ、例えば、５００ポイントを参照し、当該ポイント数を図１０の当該利用者の「ポイント合計」に加算処理する。
【００４６】
したがって、利用者は、検温データ等を入力することで、自己のポイント数が増え、これにより何らかの賞品等を受け取ることができるので、検温等を継続的に行い易くなり、当該利用者の継続的な検温データ等を蓄積することができる。
また、「うがい・手洗い」についても、実行された旨の入力があるとポイント数が増えるので、毎日の検温とともに、うがい・手洗いが習慣化するように促進することができる。
そして、医師等は、このように蓄積された検温データ等を用いて、当該利用者の健康状態を把握し易くなり、疾病等の早期発見、早期治療等が可能となり、利用者の健康維持に役立つこととなる。なお、本発明は、上述の各実施の形態に限定されない。
【符号の説明】
【００４７】
１・・・検温世界旅行双六システム、２・・・インターネット網、１０・・・双六情報管理サーバ、１１・・・サーバ側ＣＰＵ、１２・・・サーバ側ＲＡＭ、１３・・・サーバ側ＲＯＭ、１４・・・サーバ側バス、１５・・・サーバ側計時装置、１６・・・サーバ側ディスプレイ、１７・・・サーバ側通信装置、１８・・・サーバ側入力装置、２０・・・サーバ側制御部、３０・・・第１記憶部、３１・・・個人データ双六処理部（プログラム）、３２・・・データ入力画面処理部（プログラム）、３３・・・データ入力判断処理部（プログラム）、３４・・・検温等ポイント処理部（プログラム）、３５・・・サイの目処理部（プログラム）、３６・・・マス目変更処理部（プログラム）、３７・・・マス目イベント処理部（プログラム）、３８・・・あがり判断処理部（プログラム）、３９・・・地域情報イベント処理部（プログラム）、４０・・・あがり処理部（プログラム）、６０・・・第２記憶部、６１・・・個人データ記憶部、６２・・・双六全行程マップデータ記憶部、６３・・・イベントデータ記憶部、１００ａ、１００ｂ、１００ｃ・・・利用者端末、１０１・・・端末側ＣＰＵ、１０２・・・端末側ＲＡＭ、１０３・・・端末側ＲＯＭ、１０４・・・端末側バス、１０５・・・端末側計時装置、１０６・・・端末側ディスプレイ、１０７・・・端末側通信装置、１０８・・・端末側入力装置
【図１】
2012161470.tif 000003
【図２】
2012161470.tif 000004
【図３】
2012161470.tif 000005
【図４】
2012161470.tif 000006
【図５】
2012161470.tif 000007
【図６】
2012161470.tif 000008
【図７】
2012161470.tif 000009
【図８】
2012161470.tif 000010
【図９】
2012161470.tif 000011
【図１０】
2012161470.tif 000012
【図１１】
2012161470.tif 000013
【図１２】
2012161470.tif 000014